(57)【特許請求の範囲】
【請求項１】
最も物体側に配置された第１のレンズと、
前記第１のレンズを保持する鏡筒であって、前記第１のレンズの周囲で前記第１のレンズよりも前記物体側に迫り出した筒状の内壁と、前記内壁に繋がり前記物体側から閉ざされた内部空間を形成する外壁とを含む鏡筒と、
前記内壁の内側の前記第１のレンズよりも前記物体側に配置されたレンズバリアと、
前記レンズバリアに回転力を伝達して前記レンズバリアを操作するばねを含むバリアリングと、
前記レンズバリアおよび前記バリアリングに挟まれた状態で前記バリアリングを回転自在に保持するバリア押さえとを有し、
前記バリアリング、前記バリア押さえおよび前記レンズバリアは、前記内壁の内側に前記第１のレンズの側から順に積み重ねられており、さらに、
前記バリアリングは、前記ばねに対抗して前記レンズバリアを操作するレバーであって、前記内壁を貫通し周に沿った方向に延びた第１のスリットを通って前記内部空間に差し込まれた状態で前記第１のスリットに沿って駆動されるレバーと、前記レバーとともに前記内壁に沿って動き、前記第１のスリットの前記レバーが動く領域であって前記レバーが挿入されていない部分および前記レバーが動く領域であって前記レバーが挿入されていない部分の前記第１のレンズの側を覆う、レバー付きの端壁とを含み、
前記バリア押さえは、前記第１のスリットの前記レバーが動く領域の前記物体側を覆う第１の端壁を含む、レンズシステム。
【請求項２】
請求項１において、前記レバー付きの端壁は、前記レバーが動く領域の前記第１のレンズの側で前記内壁に対向し前記内壁に沿って動く部分を含む、レンズシステム。
【請求項３】
請求項１または２において、さらに、
前記レンズバリアの前記物体側に配置された前飾りを有し、
前記前飾りは、前記内壁を貫通し周に沿った方向に延びた第２のスリットに差し込まれる爪部を含み、
前記バリア押さえは、前記爪部が差し込まれた状態の前記第２のスリットの前記第１のレンズの側を覆う第２の端壁を含む、レンズシステム。
【請求項４】
請求項１ないし３のいずれかにおいて、
前記鏡筒は、前記第１のレンズの周縁に沿って前記物体側に突出した環状の第１の周壁を含み、
前記バリア押さえは、前記環状の第１の周壁の内側に突出した環状の第２の周壁を含み、
前記環状の第１の周壁の内周面の少なくとも一部と前記環状の第２の周壁の外周面の少なくとも一部とが隣接している、レンズシステム。
【請求項５】
請求項４において、前記内周面と前記外周面とは対峙するように傾いている、レンズシステム。
【請求項６】
請求項１ないし５のいずれかにおいて、
前記バリアリング、前記バリア押さえおよび前記前飾りは樹脂製である、レンズシステム。
【請求項７】
請求項１ないし６のいずれかに記載のレンズシステムを有する、カメラ。
【発明の詳細な説明】
【技術分野】
【０００１】
本発明は、レンズシステムおよびレンズシステムを搭載したカメラに関するものである。
【背景技術】
【０００２】
特許文献１には、光軸方向の力を光軸の円周方向への力へ変換するレバーを設けることにより、レンズ鏡胴のわずかな繰出し及び繰込みでもレンズバリアを確実に開閉できるバリア開閉機構を提供することが記載されている。そのため、特許文献１には、レンズ鏡胴の繰出し及び繰込みにより、押し部材がレバーを回動させ、このレバーの回動により、押し部材の押圧力が光軸を中心とする円周方向の力に無理なく変換され、開閉駆動リングへ効率良く伝達されるため、レンズ鏡胴のワイド端から沈胴位置までの移動距離が短い場合であっても、開閉駆動リングが円滑に移動し、レンズバリアの確実な開閉が可能となることが記載されている。
【先行技術文献】
【特許文献】
【０００３】
【特許文献１】特開平１０−１６１１８５号公報
【発明の概要】
【発明が解決しようとする課題】
【０００４】
特許文献１に開示された技術においては、段落番号０００７に記載されているように、レンズ鏡胴の内部に取り付けられた押し部材の押圧力を、レンズ鏡胴の先端に配置された開閉駆動リングへと伝達させるためのレバーが、レンズ鏡胴の内部と外部とを貫くように設けられているため、レンズ鏡胴を完全に封止することは難しい。このため、レンズ鏡胴（鏡筒）の内部に塵や埃などのゴミ（異物）が侵入する可能性があり、ズームレンズの動作に支障が発生したり、レンズ鏡筒の内部に収納された電気部品に支障が発生したりするおそれがあるため、レンズ鏡筒の内部への異物の侵入を防止することが求められる。
【課題を解決するための手段】
【０００５】
本発明の態様の１つは、最も物体側に配置された第１のレンズと、第１のレンズを保持する鏡筒とを有するレンズシステムである。鏡筒は、最も物体側の第１のレンズの周囲で第１のレンズよりも物体側に迫り出した筒状の内壁と、内壁に繋がり物体側から閉ざされた内部空間を形成する外壁とを含む。このレンズシステムは、さらに、鏡筒の内壁の内側の、第１のレンズよりも物体側に配置されたレンズバリアと、レンズバリアに回転力を伝達してレンズバリアを操作するばねを含むバリアリングと、レンズバリアおよびバリアリングに挟まれた状態でバリアリングを回転自在に保持するバリア押さえとを有する。これらのバリアリング、バリア押さえおよびレンズバリアは、内壁の内部に第１のレンズの側から順に積み重ねられている。さらに、バリアリングは、ばねに対抗してレンズバリアを操作するレバーであって、内壁を貫通し周に沿った方向に延びた第１のスリットを通って内部空間に差し込まれた状態で第１のスリットに沿って駆動されるレバーと、このレバーとともに内壁に沿って動き、第１のスリットのレバーが動く領域であってレバーが挿入されていない部分およびレバーが動く領域であってレバーが挿入されていない部分の第１のレンズの側を覆うレバー付きの端壁とを含み、バリア押さえは、第１のスリットのレバーが動く領域の物体側を覆う第１の端壁を含む。
【０００６】
このレンズシステムにおいては、バリアリングのレバー付きの端壁が、レバーとともに動きながら第１のスリットの第１のレンズの側を覆い、バリア押さえの第１の端壁が静止した状態で第１のスリットの物体側を覆う。したがって、第１のスリットの全体が、レバーが動く状態で、レバー付きの端壁と第１の端壁とにより覆われるので、第１のスリットを介して異物が鏡筒内に侵入するのを抑制できる。
【０００７】
さらに、レバー付きの端壁は、レバーが動く領域の第１のレンズの側で内壁に対向し内壁に沿って移動する部分を含むことが望ましい。異物が第１のスリットに到達することを阻害でき、第１のスリットを介して異物が鏡筒の内部空間に侵入することを抑制できる。
【０００８】
このレンズシステムは、さらに、レンズバリアの物体側に配置された前飾りを有し、前飾りは、内壁を貫通し周に沿った方向に延びた第２のスリットに差し込まれる爪部を含み、バリア押さえは、爪部が差し込まれた状態の第２のスリットの第１のレンズの側を覆う第２の端壁を含むことが望ましい。
【０００９】
鏡筒が樹脂性の射出成形品であって、製造上、第２のスリットが前飾りの厚みに対して広くなってしまう場合であっても、前飾りの第１のレンズの側に配置されるバリア押さえを用いることにより第２のスリットを塞ぐことができる。
【００１０】
鏡筒は、第１のレンズの周縁に沿って物体側に突出した環状の第１の周壁を含み、バリア押さえは、環状の第１の周壁の内側に突出した環状の第２の周壁を含み、環状の第１の周壁の内周面の少なくとも一部と環状の第２の周壁の外周面の少なくとも一部とが隣接していることが望ましい。
【００１１】
最も物体側の第１のレンズが物体側に凸のレンズで、第１のレンズの周囲とレンズバリアとの間に隙間が空きやすい構成であっても、環状の第１の周壁および第２の周壁を組み合わせることによりレンズバリアと第１のレンズとの間を縮めることができる。このため、レンズバリアと第１のレンズとの間を通って異物が第１のスリットおよび／または第２のスリットに到達するのを阻害でき、第１のスリットおよび／または第２のスリットを通って異物が鏡筒内に侵入するのを抑制できる。さらに、内周面と外周面とは対峙するように傾いていることが望ましい。
【００１２】
典型的には、バリアリング、バリア押さえおよび前飾りは樹脂製である。本発明の異なる態様の１つは、上記レンズシステムを有するカメラである。
【図面の簡単な説明】
【００１３】
【図１】レンズシステムを搭載したカメラの概要を模式的に示した図。
【図２】レンズシステムを、レンズシステムを構成する主なパーツに展開して示した図。
【図３】レンズシステムを構成する鏡筒および前飾りを表側（物体側）から見た斜視図。
【図４】レンズシステムを構成するバリアリングおよびバリア押さえを裏側（物体側と反対の側）から見た斜視図。
【図５】レンズシステムを表側（物体側）から見た図。
【図６】レンズシステムのVI−VI部分断面図（図５のVI−VI部分断面）。
【図７】レンズシステムのVII−VII部分断面図（図５のVII−VII部分断面）。
【図８】レンズシステムのVIII−VIII断面図（図５のVIII−VIII断面）。
【発明を実施するための形態】
【００１４】
図１に、本発明に係るレンズシステムを搭載したカメラの概要を模式的に示している。カメラ１００は、レンズシステム１と、レンズシステム１を取り付けたボディー２とを備えている。レンズシステム１は、最も物体側１０１ａに配置された第１のレンズ２１を含むレンズ群２０と、レンズ群２０を保持する鏡筒１０と、第１のレンズ２１よりも物体側１０１ａに配置されたバリア組（バリアアセンブリ）７０とを備えている。
【００１５】
レンズシステム１は、レンズ群２０に含まれる複数のレンズの距離を変えてズーミング可能なレンズシステムであり、鏡筒１０はズーミングするためにボディー２に対して出入りする複数の筒を備えている。鏡筒１０の最も先端に位置する筒（ハウジング、レンズホルダ）１０ａは、第１のレンズ２１を含む第１のレンズ群２１ａを保持する１群枠（第１レンズ枠）としての機能を備えている。第１レンズ枠１０ａは、最も物体側の第１のレンズ２１の周囲で第１のレンズ２１よりも物体側１０１ａに迫り出した（突き出た）筒状の内壁１３と、内壁１３に繋がり内壁１３の外側に設けられた外壁１４と、内壁１３に繋がり第１のレンズ２１を含む第１のレンズ群２１ａを保持する保持壁１５とを備えている。第１のレンズ２１から前方に突き出たハウジング１０ａの内壁１３の内側は、後述するバリア組７０を収納するための空間となっており、内壁１３および外壁１４により閉ざされた内部空間（内部領域）９９を介してバリア組７０を駆動することができる。
【００１６】
バリア組７０は、第１のレンズ２１の側から順番に配置されたバリアリング３０と、バリア押さえ４０と、レンズバリア５０と、前飾り６０とを備え、積み重ねられた状態で鏡筒１０の内壁１３に囲まれた空間（領域）１０ｈに収納されている。レンズバリア５０は、第１のレンズ２１よりも物体側１０１ａに配置された複数のバリア羽根を備え、複数のバリア羽根が開閉することで第１のレンズ２１を物体側１０１ａからカバーする。バリアリング（バリア駆動体）３０は、レンズバリア５０に回転力を伝達してレンズバリア（複数のバリア羽根）５０を操作するばねを含む。バリア押さえ（バリア保持体）４０は、レンズバリア５０およびバリアリング３０に挟まれた状態でバリアリング３０を回転自在に保持する。前飾り６０は、レンズバリア５０を物体側１０１ａから覆い、バリア組７０を内壁１３に囲まれた空間１０ｈに保持するストッパとしての機能を含む。バリア組７０は、非撮影時（非使用時）にレンズバリア５０のバリア羽根が閉じることにより、第１のレンズ２１が物体側１０１ａからの何らかの作用あるいは塵埃等により傷つけられないようにする。
【００１７】
さらに、カメラ１００は、ボディー（ハウジング）２の内部に収納された、レンズ群２０により集光された光を結像させ電気信号（画像データ）に変換するＣＣＤやＣＭＯＳなどの撮像ユニット（撮像素子、イメージセンサー）３と、ズーミングまたはフォーカシングのためにレンズ群２０を光軸方向１０１に移動させる制御ユニット４と、画像データを画像イメージとして表示するＬＣＤ５と、画像データを記録するフラッシュメモリ６とを備えている。
【００１８】
図２に、レンズシステム１を、レンズシステム１を構成する主なパーツに展開して示している。図３に、第１レンズ枠１０ａおよび前飾り６０を表側（物体側）１０１ａから見た状態を斜視図により示している。図４に、バリアリング３０およびバリア押さえ４０を裏側（第１のレンズ２１の側）１０１ｂから見た状態を斜視図により示している。図５に、レンズシステム１が組み立てられた状態を表側（物体側）１０１ａから見た状態を示している。
【００１９】
図２に示すように、第１レンズ枠１０ａは、全体が円筒状で、第１のレンズ２１を取り付けるための円形状の開口１５ａを中央に備えた保持壁１５と、保持壁１５の周囲から物体側に突き出た内壁１３および外壁１４とを含む。外壁１４は断面がＬ字状で、前方（物体側）１０１ａに位置する前壁部１４ａと、内壁１３と対峙するように形成された円筒状の外周壁部１４ｂとを含む。保持壁１５は、第１のレンズ２１を開口１５ａに嵌め込んだ状態で保持すると、第１レンズ枠１０ａの物体側１０１ａを実質的に閉鎖し、以降で説明する幾つかの部分を除き、第１レンズ枠１０ａは物体側１０１ａが閉鎖された空間を形成する。
【００２０】
バリア組７０は、第１レンズ枠１０ａの内壁１３と第１のレンズ２１とに囲まれた円柱状の空間１０ｈに収納されている。バリア組７０は、最も物体側１０１ａに配置される前飾り６０の裏側（レンズ側）１０１ｂにレンズバリア５０をバリア押さえ４０により押さえるように取り付け、さらに、バリア押さえ４０の裏側１０１ｂにバリアリング３０を取り付けることにより組み立てられる。組み立てられたバリア組７０が第１レンズ枠１０ａの円筒状の空間１０ｈに入れられ、前飾り６０により第１レンズ枠１０ａに固定される。
【００２１】
バリア組７０の最も物体側１０１ａに配置された前飾り６０は、樹脂製の板状の部材であり、中央に、光軸方向１０１に光を通すための方形の開口６０ｈが形成され、開口６０ｈの周囲の部分（プレート部分）６０ａによりバリア組７０の駆動部分を覆い隠すようになっている。前飾り６０は、第１レンズ枠１０ａの外壁１４の前壁部１４ａに搭載されるようになっており、前壁部１４ａに設けられた凹み部をそれぞれ覆うように、あるいは凹み部にそれぞれ嵌まる（合致する）ように形成された３つの突起部６２、６３および６７を含む。突起部６７には前飾り６０を前壁部１４ａにネジ留めする孔６７ａが設けられている。さらに、前飾り６０は、突起部６７と開口６０ｈを挟んで対峙する位置に、第１レンズ枠１０ａの内壁１３に向かって若干下方に突き出た、すなわち光軸方向１０１と直交する半径方向の第１の方向１０２に突出した爪部６１を備えている。前飾り６０は、さらに、その裏側１０１ｂに第１のレンズ２１の側に向かって突出するように形成された２つのピン６５および６６を備えている。これらのピン６５および６６に、後述するレンズバリア５０が取り付けられる。
【００２２】
前飾り６０の裏側（第１のレンズ２１の側）１０１ｂに取り付けられるレンズバリア５０は、第１のレンズ２１を物体側１０１ａから保護する４枚のレンズバリア羽根（バリア羽根）５１〜５４と、これらが回転するように支持する支持筒５５および５６と、バリア羽根５１〜５４を支持筒５５および５６の周りに回転駆動する駆動ピン５７および５８とを備えている。物体側１０１ａから見ると、上方に配置された２枚のバリア羽根５１および５２は、支持筒５５の周りを上方に向けて反時計回りに開き、下方に配置された２枚のバリア羽根５３および５４は、支持筒５６の周りに下方に向けて時計回りに開き、前飾り６０の開口６０ｈを開閉する。レンズバリア５０は、支持筒５５および５６を前飾り６０のピン６５および６６にそれぞれ取り付けることにより前飾り６０に取り付けられる。また、駆動ピン５７および５８がバリア押さえ４０を通してバリアリング３０に向かって延び、駆動ピン５７および５８がコイルばね７６を介してバリアリング３０により操作されることによりバリア羽根５１〜５４が動く。
【００２３】
レンズバリア５０の裏側（第１のレンズ２１の側）１０１ｂに配置されたバリア押さえ４０は、樹脂製の全体として板状の部材であり、中央に光を通すための方形の開口４０ｈが形成され、周囲のプレート部分４０ａに、前飾り６０のピン６５および６６を取り付ける孔４５および４６と、レンズバリア５０の駆動ピン５７および５８を通過させるための孔４７および４８とが設けられている。さらに、バリア押さえ４０は、プレート部分４０ａの周辺の幾つかの部分が物体側１０１ａおよびレンズ側１０１ｂに向かって迫り出した（張り出した、延びた）端壁を備えている。後述するバリアリング３０のレバー付き端壁３１に対応する部分はプレート部分４０ａの周辺が物体側１０１ａに突き出た第１の端壁４１である。前飾り６０の爪部６１に対応する部分は、プレート部分４０ａの周辺が物体側１０１ａおよびレンズ側１０１ｂに突き出た第２の端壁４２となっている。さらに詳細には、第２の端壁４２は、物体側１０１ａの一部が第１の方向１０２に貫通して形成された切り欠き４２ａを備え、前飾り６０の爪部６１は、第２の端壁４２の切り欠き４２ａに嵌め合わされるようになっている。
【００２４】
さらに、バリア押さえ４０は、プレート部分４０ａの周辺が物体側１０１ａおよびレンズ側１０１ｂに突き出たガイド壁４３および４４を含む。ガイド壁４３および４４のレンズ側１０１ｂに突き出た部分、および第２の端壁４２のレンズ側１０１ｂに突き出た部分は、バリアリング３０の周辺をガイドし、バリアリング３０を回転可能に支持する機能を果たす。
【００２５】
また、バリア押さえ４０のプレート部分４０ａの裏面には、図４に示すように、裏側（第１のレンズ２１の側）１０１ｂに突き出た環状の第２の周壁４９が形成されている。この第２の周壁４９の外周面４９ｃは、裏側１０１ｂに向けて狭くなるようにテーパー状に傾いている。
【００２６】
バリア押さえ４０の裏側（第１のレンズ２１の側、すなわちバリア組７０の最も第１のレンズ２１の側）１０１ｂに配置されたバリアリング３０は、樹脂製の板状であり、中央に光を通すための円形状の開口３０ｈが形成され、周囲のプレート部３０ａの裏側には図４に示すように、レンズバリア５０の駆動ピン５７および５８に取り付けられたコイルばね７５および７６を取り付けてレンズバリア羽根５１〜５４を操作するための突起３５および３６と、レンズバリア羽根５１〜５４を閉方向に操作するようにバリアリング３０をバリア押さえ４０に対して引っ張るコイルばね７８とが設けられている。コイルばね７８は、バリアリング３０の裏側に設けられた突起３７とバリア押さえ４０の裏側に設けられた突起４０ｂとを連結し、バリア押さえ４０に対してバリアリング３０を裏側から見て反時計方向に引っ張り、レンズバリア羽根５１〜５４を常時閉に操作する。
【００２７】
バリアリング３０のプレート部３０ａの周面の一部は、バリア押さえ４０のガイド壁４３および４４に接し、ガイド壁４３および４４に沿って回転するためのガイド面３３および３４になっている。バリアリング３０のプレート部３０ａの一部は、光軸方向１０１に直交する第１の方向１０２に突き出て、第１レンズ枠１０ａの内壁１３に対向するレバー付き端壁３１となっている。レバー付き端壁３１のさらに一部は、第１レンズ枠１０ａの内壁１３を貫通して第１レンズ枠１０ａの内部領域９９に至るように突出したレバー３２となっている。
【００２８】
図３に、第１レンズ枠１０ａの内壁１３の内側の領域１０ｈを、バリア組７０を除いた状態で示している。第１レンズ枠１０ａの内壁１３には、内壁１３を貫通する（第１の方向１０２に貫通する）ように形成された方形状の第１のスリット１１と、第２のスリット１２とが設けられている。第１のスリット１１は筒状の内壁１３の周に沿った方向１０３に延びており、第１のスリット１１の長さ（幅）Ｗ１は、第２のスリット１２の周に沿った方向１０３の長さ（幅）Ｗ２よりも大きい。さらに、第１レンズ枠１０ａは、第１のレンズ２１の周縁２１ｂに沿って保持壁１５から物体側１０１ａに突出するように形成された環状の第１の周壁１９を備えている。
【００２９】
第１のスリット１１は、バリアリング３０のレバー３２を、内壁１３を通して内部空間９９に差し込み、内部空間９９に設けられた部材（不図示）によりレバー３２を介してバリアリング３０を操作するためのものである。レバー３２によりバリアリング３０をコイルばね７８に対抗するように動かす（回転させる）ことにより、レンズバリア５０に回転力を伝達してレンズバリア５０を操作する。したがって、第１のスリット１１は、レバー３２を内壁１３に沿って動かすための幅（長さ）Ｗ１を有する。また、第１のスリット１１の上部には、第１のスリット１１にレバー３２を挿入するための切欠き１１ｃが設けられており、前飾り６０の突起部６２を取り付けることにより切欠き１１ｃは密閉される。
【００３０】
図６に、第１のスリット１１にレバー３２が挿入された状態を断面図（図５のVI−VI部分断面）により示している。第１のスリット１１は、バリアリング３０と、バリア押さえ４０とにより覆われている。図６に示すように、内壁１３に囲まれた空間１０ｈに、レンズバリア５０が設けられているが実質的には閉鎖されておらず、空間１０ｈから第１のスリット１１を通して異物９０が侵入する恐れがある。しかしながら、バリアリング３０とバリア押さえ４０とにより第１のスリット１１を覆うことにより、第１のスリット１１を通して異物９０が侵入するのを抑制できる。
【００３１】
まず、バリアリング３０は、レバー３２と、レバー３２とともに内壁１３に沿って動き、第１のスリット１１のレバー３２が動く領域１１ｂを覆うように、第１のスリット１１の幅Ｗ１より長く周に沿った方向１０３に延びた、レバー付き端壁（台壁）３１とを含む。レバー３２は、台壁３１の一部が内壁１３に向かって突出するように形成されており、第１のスリット１１のうち、レバー３２が挿入されたところはレバー３２に封鎖され、レバー３２が動く領域１１ｂであってレバー３２が挿入されていないところは台壁３１により覆われる。レバー３２が動くと、台壁３１も内壁１３に対向し、かつ内壁１３に沿って回転し、第１のスリット１１のレバー３２が動く領域１１ｂを覆う。したがって、バリア組７０が設置された空間１０ｈから第１のスリット１１を通って塵埃などの異物９０が第１レンズ枠１０ａの内部領域９９に侵入するのを抑制できる。
【００３２】
台壁３１は、さらに、レバー３２の動く領域１１ｂのレンズ側１０１ｂに延びた壁部３１ａを含み、この壁部３１ａは、第１のスリット１１のレンズ側１０１ｂの内壁１３に対向するように第１のレンズの側１０１ｂにさらに延び、第１レンズ枠１０ａの保持壁１５の近傍に達している。したがって、バリアリング３０と保持壁１５および内壁１３との間には、第１の侵入阻害部９１が形成されている。第１の侵入阻害部９１は、光軸方向１０１に対向するバリアリング３０と保持壁１５との間に形成された部分９１ａと、第１の方向１０２に対向する台壁３１の下側の壁部３１ａと内壁１３との間に形成された部分９１ｃとを含む。第１の侵入阻害部９１は、内壁１３の内側の領域１０ｈから第１のスリット１１に到達する経路を狭め、さらに経路を折れ曲がった状態（クランク状態）にすることにより、バリア組７０が設置された空間１０ｈから異物９０が第１のスリット１１に到達することを阻害できる。したがって、レバー３２と第１のスリット１１とのクリアランス９１ｂが多少広くなっても、第１のスリット１１を通って異物９０が第１レンズ枠１０ａの内部空間９９に侵入することを抑制できる。
【００３３】
さらに、第１のスリット１１のレバー３２が動く領域１１ｂの物体側１０１ａの間隙（隙間）１１ａは、バリア押さえ４０のプレート部分４０ａから物体側１０１ａに延びた第１の端壁４１により覆われている。第１の端壁４１は、バリア押さえ４０のプレート部分４０ａの周囲の一部が物体側１０１ａに向かって迫り出し（張り出し）、前飾り６０に達するように形成された部分である。
【００３４】
樹脂製の第１レンズ枠１０ａを射出成形などにより製造する際、内壁１３の途中に内壁１３を貫通する孔またはスリットは形成できず、スリットの一部は外壁１４の前壁部１４ａまたは保持壁１５に達してしまう。このレンズシステム１においては、第１のスリット１１は、上端が前壁部１４ａに達するように形成されているが、バリアリング３０の上側（物体側）１０１ａに積み重ねられるバリア押さえ４０に物体側１０１ａに延びた第１の端壁４１を設け、第１のスリット１１のうちの、レバー３２が動く領域１１ｂの物体側１０１ａの隙間１１ａを覆っている。したがって、第１のスリット１１を通って異物９０が内部空間９９に侵入することを抑制できる。さらに、バリアリング３０が内壁１３に対して動くのに対し、バリア押さえ４０は内壁１３に対して静止している。このため、パーツの動きに連動して異物９０が第１のスリット１１を通過することを抑制でき、いっそう効率よく第１のスリット１１を遮蔽できる。
【００３５】
図３に示した第１レンズ枠１０ａの第２のスリット１２は、前飾り６０の爪部６１が差し込まれる部分である。したがって、この第２のスリット１２を通して、第１のスリット１１と同様に異物９０が第１レンズ枠１０ａの内部領域９９に侵入する恐れがある。
【００３６】
図７に、第２のスリット１２を断面図（図５のVII−VII部分断面）により示している。樹脂製の第１レンズ枠１０ａに内壁１３を貫通するスリットを射出成形により形成するため、このレンズシステム１では、第２のスリット１２の下端が保持壁１５に達している。第２のスリット１２の上側（物体側）１０１ａは、第２のスリット１２に差し込まれた爪部６１により塞がれ、第２のスリット１２の下側（第１のレンズ２１の側）１０１ｂの間隙１２ａは、バリア押さえ４０の第２の端壁４２により覆われている。第２の端壁４２は、バリア押さえ４０のプレート部分４０ａの周囲の一部が第１のレンズ２１の側１０１ｂに向かって迫り出し（張り出し）し、第１レンズ枠１０ａの保持壁１５に達するように形成されている部分である。バリア押さえ４０は、前飾り６０の裏側（下側、第１のレンズ２１の側）１０１ｂに位置し、前飾り６０と同様に動かないパーツであり、静止したパーツにより第２のスリット１２を覆うことにより、効率よく、第２のスリット１２を通って異物９０が内部空間９９に侵入することを抑制できる。
【００３７】
図３に示した、第１のレンズ２１の周縁２１ｂに沿って物体側１０１ａに突出するように形成された環状の第１の周壁１９は、図４に示したバリア押さえ４０の裏面に形成された環状の第２の周壁４９と組み合わされて、第１のスリット１１および第２のスリット１２に到達する異物９０を阻害する機能を果たす。
【００３８】
図８に、第１のレンズ２１の周囲の構成を断面図（図５のVIII−VIII断面）により示している。第１レンズ枠１０ａの保持壁１５から、第１のレンズ２１の周縁２１ｂに沿って物体側１０１ａに突出するように形成された環状の第１の周壁１９と、バリア押さえ４０から裏側（第１のレンズ２１の側）１０１ｂに突出するように形成された環状の第２の周壁４９とは、第１の周壁１９の内周面１９ｃと、第２の周壁４９の外周面４９ｃとが隣接するように設けられている。第１の周壁１９の内周面１９ｃと、第２の周壁４９の外周面４９ｃとが組み合わされることにより、第１の周壁１９の内周面１９ｃと第２の周壁４９の外周面４９ｃとの間のクリアランスが非常に小さな第２の侵入阻害部９２が形成されている。第２の侵入阻害部９２により、第１のレンズ２１の物体側１０１ａの面の内側から内壁１３の第１のスリット１１および第２のスリット１２に至る異物９０の動きを阻害できる。
【００３９】
さらに、バリア組７０を通過して侵入した異物９０は、第１のレンズ２１の物体側１０１ａの面に沿って移動したときに第１のレンズ２１の周囲に、物体側１０１ａに向かって延びた第２の侵入阻害部９２を通過しなければ内壁１３に到達できない。したがって、第２の侵入阻害部９２により異物９０が内壁１３に到達する経路が複雑になり、異物９０が第１のスリット１１および第２のスリット１２に到達することを阻害しやすい。したがって、第１のレンズ２１が物体側に凸のレンズで、第１のレンズ２１の周囲に比較的スペースが開きやすいレンズシステム１においても、異物９０が第１のスリット１１および第２のスリット１２に達するのを抑制でき、第１のスリット１１および第２のスリット１２を通して異物９０が第１レンズ枠１０ａの内部空間９９に侵入するのを抑制できる。
【００４０】
このように、本例のレンズシステム１においては、第１レンズ枠１０ａにバリア組７０を取り付け、さらに、第１レンズ枠１０ａの内部空間９９からバリア組７０を操作するために、第１のスリット１１および第２のスリット１２が第１レンズ枠１０ａの内壁１３に設けられている。しかしながら、第１のスリット１１は、バリア押さえ４０とバリアリング３０とにより覆われ、第２のスリット１２は前飾り１０とバリア押さえ４０とにより覆われており、さらに、第１のレンズ２１の周囲に設けられた第２の侵入阻害部９２により異物９０の移動が妨げられている。このため、第１のスリット１１および第２のスリット１２を通して異物９０が第１レンズ枠１０ａおよび鏡筒１０の内部空間９９、さらには、カメラ１００のボディー２の内部に侵入することを抑制でき、様々な環境で使いやすく、信頼性の高いレンズシステム１およびカメラ１００を提供できる。
【００４１】
なお、本発明に係るレンズシステム１は、デジタルスチルカメラやデジタルビデオカメラなどの各種撮像装置に搭載することができる。
【符号の説明】
【００４２】
１  レンズシステム
１０  鏡筒、  １０ａ  第１レンズ枠（１群枠）
１１  第１のスリット、  １２  第２のスリット、  １３  内壁、  １４  外壁
２０  レンズ群、  ２１  最も物体側に配置された第１のレンズ
３０  バリアリング（バリア駆動体）、  ３１  レバー付き端壁、  ３２  レバー
４０  バリア押さえ（バリア保持体）、  ４１  第１の端壁、  ４２  第２の端壁
５０  レンズバリア、  ５１、５２、５３、５４  バリア羽根
６０  前飾り、  ６１  爪部
７０  バリア組（バリアアセンブリ）
９９  内部空間、  １００  カメラ
【図１】
0005675271.tif 000002
【図２】
0005675271.tif 000003
【図３】
0005675271.tif 000004
【図４】
0005675271.tif 000005
【図５】
0005675271.tif 000006
【図６】
0005675271.tif 000007
【図７】
0005675271.tif 000008
【図８】
0005675271.tif 000009